(57)【要約】  太陽電池モジュールを設置面に固定する固定装置の部品点数を減らすと共に、太陽電池モジュールを設置する際の作業効率を向上させることが望まれている。  太陽電池モジュール２０ａ〜ｄを設置面１２に固定する固定装置１００であって、太陽電池モジュールは太陽電池基板が設けられる上面と、上面の反対にある下面と、第１の側部と、第１の側部の反対にある第２の側部とを有する、固定装置において、太陽電池モジュールの第１の側部又は第２の側部に当接する複数の支持部材１２０であって、太陽電池モジュールの下面、第１の側部及び第２の側部を支持する複数の支持部材と、太陽電池モジュールの、少なくとも、上面に対する垂直方向の移動を防止する固定部材１４０であって、太陽電池モジュールの移動防止の解除ができるように、複数の支持部材のそれぞれに移動可能に取付けられる固定部材と、を備える、固定装置を提供する。
2014109194.tif 000002
【特許請求の範囲】
【請求項１】
太陽電池モジュールを設置面に固定する固定装置であって、
前記太陽電池モジュールは太陽電池基板が設けられる上面と、前記上面の反対にある下面と、第１の側部と、前記第１の側部の反対にある第２の側部とを有する、固定装置において、
前記太陽電池モジュールの前記第１の側部又は前記第２の側部に当接する複数の支持部材であって、前記太陽電池モジュールの前記下面、前記第１の側部及び第２の側部を支持する複数の支持部材と、
前記太陽電池モジュールの、少なくとも、前記上面に対する垂直方向の移動を防止する固定部材であって、前記太陽電池モジュールの移動防止の解除ができるように、前記複数の支持部材のそれぞれに移動可能に取付けられる固定部材と、
を備える、固定装置。
【請求項２】
前記固定部材は、前記支持部材に、前記太陽電池モジュールの前記第１の側部及び第２の側部に対して平行な軸線を中心に回転可能に取付けられる、請求項１に記載の固定装置。
【請求項３】
前記固定部材は、前記支持部材に、前記太陽電池モジュールの前記上面に対して垂直な軸線を中心に回転可能に取付けられる、請求項１に記載の固定装置。
【請求項４】
前記太陽電池モジュールは、前記支持部材に支持される前記第１の側部又は前記第２の側部に挿入穴が形成されており、前記固定部材は、前記太陽電池モジュールの前記挿入穴に挿入され、前記太陽電池モジュールの移動を防止する係止片を備える、請求項１から３の何れか一項に記載の固定装置。
【請求項５】
前記固定部材は、前記太陽電池モジュールの前記上面に当接して前記太陽電池モジュールの移動を防止する係止片を備える、請求項１から３の何れか一項に記載の固定装置。
【請求項６】
前記支持部材に取付けられ、前記太陽電池モジュールの前記第１の側部及び第２の側部に対して平行な移動を防止する、移動防止部材を備える請求項５に記載の固定装置。
【請求項７】
連続して配置される複数の前記太陽電池モジュールを固定する請求項１に記載の固定装置であって、
前記支持部材は、前記支持部材を挟んで隣り合う前記太陽電池モジュールのそれぞれの前記下面と、前記隣り合う太陽電池モジュールのうちの一方の前記第１の側部と他方の前記第２の側部とを支持し、
前記固定部材は、隣り合う前記太陽電池モジュールの両方の、前記太陽電池モジュールの上面に対して垂直方向の移動を防止する、固定装置。
【請求項８】
前記固定部材は、前記支持部材に、前記第１の側部及び前記第２の側部に対して平行な軸線を中心に回転可能に取付けられる、請求項７に記載の固定装置。
【請求項９】
前記固定部材は、前記支持部材に、前記太陽電池モジュールの前記上面に対して垂直な軸線を中心に回転可能に取付けられる、請求項７に記載の固定装置。
【請求項１０】
前記支持部材を挟んで隣り合う前記太陽電池モジュールは、前記支持部材に支持される前記第１の側部及び前記第２の側部に挿入穴が形成されており、前記固定部材は、隣り合う前記太陽電池モジュールのうちの一方の前記挿入穴に挿入される第１の係止片と、他方の前記挿入穴に挿入される第２の係止片と、を備える、請求項７から９の何れか一項に記載の固定装置。
【請求項１１】
前記固定部材は、前記支持部材を挟んで隣り合う前記太陽電池モジュールのうちの一方の上面と当接する第１の係止片と、他方の上面と当接する第２の係止片とを備える、請求項７から９の何れか一項に記載の固定装置。
【請求項１２】
前記支持部材に取付けられ、前記太陽電池モジュールの前記第１の側部及び前記第２の側部に対して平行な移動を防止する、移動防止部材を備える、請求項１１に記載の固定装置。
【請求項１３】
さらに、前記設置面に前記複数の支持部材を固定する架台を備える、請求項１又は７に記載の固定装置。
【発明の詳細な説明】
【技術分野】
【０００１】
本発明は、太陽電池モジュールを屋根等の設置面に固定する固定装置に関する。
【背景技術】
【０００２】
近年、環境に対する関心や政策等から、公共施設や一般家庭など、あらゆる場所で太陽電池の設置が進められている。太陽電池は太陽光を利用するため、屋根や屋上などの屋外に設置されるが、設置可能な面を有効に活用するために、複数の太陽電池モジュールを並設して一群の太陽電池アレイを形成することがよく行われている。【０００３】
太陽電池モジュールは、屋根や屋上等の設置面に設置されることから、風雨等に吹き飛ばされないよう固定装置を用いて設置面に強固に固定する必要がある。一方、固定装置を構成する部材数を減らし、低コストで固定装置を作製する工夫が従来行われている。また、太陽電池モジュールの設置は、傾斜した屋根等、危険な場所で行われることから、その設置作業は可能な限りシンプルであることが望ましい。【０００４】
特許文献１には、住宅の屋根に太陽電池モジュールを設置する際、屋根の様々な形状、寸法、又は材質に対して共通の部品を用いることを目的として、少なくとも大、中、小の長さの異なる複数種類の軽量Ｃ形鋼からなる縦材パーツを複数個用い、これらを縦材接続金具により接続して所定の長さにした縦材と、少なくとも大、中、小の長さの異なる複数種類の軽量Ｃ形鋼からなる横材パーツを複数個用い、これらを横材接続金具により接続して所定の長さにした横材と、前記縦材を瓦に固定する瓦金具と、前記縦材と横材を固定する縦横材固定金具と、太陽電池モジュールを横材に固定する太陽電池モジュール固定金具と、からなる太陽電池モジュール固定用架台が記載されている。【０００５】
特許文献１の太陽電池モジュール固定用架台で用いられる太陽電池モジュール固定用金具は、蓋部と横材係合部とから構成され、太陽電池モジュールの端部を蓋部と横材係合部とにより挟持し、蓋部と横材係合部とをボルトにより締結することで、太陽電池モジュールを横材に固定している。そのため、太陽電池モジュールを架台に設置する際、例えばボルトを締結する工程が必要であった。
【先行技術文献】
【特許文献】
【０００６】
【特許文献１】特開平１１−２４７３７８号公報
【発明の概要】
【発明が解決しようとする課題】
【０００７】
太陽電池モジュールを設置面に固定する固定装置の部品点数を減らすと共に、太陽電池モジュールを固定装置に設置する際の作業効率を向上させることが望まれている。
【課題を解決するための手段】
【０００８】
請求項１に記載の発明は、太陽電池モジュールを設置面に固定する固定装置であって、前記太陽電池モジュールは太陽電池基板が設けられる上面と、前記上面の反対にある下面と、第１の側部と、前記第１の側部の反対にある第２の側部とを有する、固定装置において、前記太陽電池モジュールの前記第１の側部又は前記第２の側部に当接する複数の支持部材であって、前記太陽電池モジュールの前記下面、前記第１の側部及び第２の側部を支持する複数の支持部材と、前記太陽電池モジュールの、前記上面に対して少なくとも垂直方向の移動を防止する固定部材であって、前記太陽電池モジュールの移動防止の解除ができるように、前記複数の支持部材のそれぞれに移動可能に取付けられる固定部材と、を備える、固定装置を提供する。【０００９】
請求項２に記載の発明は、請求項１に記載の固定装置において、前記固定部材は、前記支持部材に、前記太陽電池モジュールの前記第１の側部及び第２の側部に対して平行な軸線を中心に回転可能に取付けられる、固定装置を提供する。【００１０】
請求項３に記載の発明は、請求項１に記載の固定装置において、前記固定部材は、前記支持部材に、前記太陽電池モジュールの前記上面に対して垂直な軸線を中心に回転可能に取付けられる、固定装置を提供する。【００１１】
請求項４に記載の発明は、請求項１から３の何れか一項に記載の固定装置において、前記太陽電池モジュールは前記支持部材に支持される前記第１の側部又は前記第２の側部に挿入穴が形成されており、前記固定部材は、前記太陽電池モジュールの前記挿入穴に挿入され、前記太陽電池モジュールの移動を防止する係止片を備える、固定装置を提供する。【００１２】
請求項５に記載の発明は、請求項１から３の何れか一項に記載の固定装置において、前記固定部材は、前記太陽電池モジュールの前記上面に当接して前記太陽電池モジュールの移動を防止する係止片を備える、固定装置を提供する。【００１３】
請求項６に記載の発明は、請求項５に記載の固定装置において、前記支持部材に取付けられ、前記太陽電池モジュールの第１の側部及び第２の側部に対して平行な移動を防止する、移動防止部材を備える、固定装置を提供する。【００１４】
請求項７に記載の発明は、連続して配置される複数の前記太陽電池モジュールを固定する請求項１に記載の固定装置であって、前記支持部材は、前記支持部材を挟んで隣り合う前記太陽電池モジュールのそれぞれの前記下面と、前記隣り合う太陽電池モジュールのうちの一方の第１の側部と他方の第２の側部とを支持し、前記固定部材は、隣り合う前記太陽電池モジュールの両方の、前記太陽電池モジュールの上面に対して垂直方向の移動を防止する、固定装置を提供する。【００１５】
請求項８に記載の発明は、請求項７に記載の固定装置において、前記固定部材は、前記支持部材に、前記太陽電池モジュールの前記第１の側部及び前記第２の側部に対して平行な軸線を中心に回転可能に取付けられる、固定装置を提供する。【００１６】
請求項９に記載の発明は、請求項７に記載の固定装置において、前記固定部材は、前記支持部材に、前記太陽電池モジュールの前記上面に対して垂直な軸線を中心に回転可能に取付けられる、固定装置を提供する。【００１７】
請求項１０に記載の発明は、請求項７から９に記載の何れか一項に記載の固定装置において、前記支持部材を挟んで隣り合う前記太陽電池モジュールは、前記支持部材に支持される前記第１の側部及び前記第２の側部に挿入穴が形成されており、前記固定部材は、隣り合う前記太陽電池モジュールのうちの一方の前記挿入穴に挿入される第１の係止片と、他方の前記挿入穴に挿入される第２の係止片と、を備える、固定装置を提供する。【００１８】
請求項１１に記載の発明は、請求項７又は８に記載の固定装置において、前記固定部材は、前記支持部材を挟んで隣り合う前記太陽電池モジュールのうちの一方の上面と当接する第１の係止片と、他方の上面と当接する第２の係止片とを備える、固定装置を提供する。【００１９】
請求項１２に記載の発明は、請求項１１に記載の固定装置において、前記支持部材に取付けられ、前記太陽電池モジュールの前記第１の側部及び前記第２の側部に対して平行な移動を防止する、移動防止部材を備える、固定装置を提供する。【００２０】
請求項１３に記載の発明は、請求項１〜１２に記載の固定装置において、さらに、前記設置面に前記複数の支持部材を固定する架台を備える、固定装置を提供する。
【発明の効果】
【００２１】
本発明による太陽電池モジュールの固定装置は、太陽電池モジュールの下面、第１の側部及び第２の側部を支持する支持部材と、太陽電池モジュールの前記上面に対して垂直方向の移動を防止する固定部材とにより、太陽電池モジュールを固定している。従来は、例えば特許文献１に記載されるように、横材とは別に、ボルト締結された蓋部と横材係合部と用いていたが、本発明の固定装置では、支持部材と固定部材とにより太陽電池モジュールを固定しており、固定装置の部材点数を削減することができる。また、固定部材を支持部材に移動可能に取付けることにより、支持部材を設置面に設置した後、前記太陽電池モジュールの移動防止を解除した状態で、太陽電池モジュールを載せ、再び固定部材を移動させて元に戻すことにより、太陽電池モジュールを固定装置に固定することができる。そのため、固定装置を設置面に設置した後は、ボルトの締結作業をすることなく、太陽電池モジュールを固定することができ、太陽電池モジュールを固定装置に設置する際の作業効率が向上する。
【図面の簡単な説明】
【００２２】
【図１】本発明の第一実施形態による、太陽電池モジュールの固定装置を示す斜視図である。
【図２】本実施形態による固定装置の平面図である。
【図３Ａ】太陽電池モジュールの平面図である。
【図３Ｂ】太陽電池モジュールを示す図であり、図３Ａの矢印Ｂ方向から見た側面図である。
【図３Ｃ】図３ＡのＣ−Ｃ線に沿った断面図である。
【図４Ａ】縦材の断面形状を示す図である。
【図４Ｂ】縦材の断面形状の別例を示す図である。
【図４Ｃ】縦材の断面形状の別例を示す図である。
【図５Ａ】本実施形態の固定装置で用いる支持部材（横材）の側面図である。
【図５Ｂ】図５ＡのＢ−Ｂ線に沿った支持部材の断面図であり、固定部材が取付けられると共に架台（縦材）に固定された状態を示す。
【図６】本実施形態の固定装置で用いる固定部材を示す斜視図である。
【図７Ａ】固定部材の平面図である。
【図７Ｂ】固定部材の正面図である。
【図７Ｃ】固定部材の側面図である。
【図８Ａ】図２のＶＩＩＩ−ＶＩＩＩ線に沿った固定装置の断面図であり、太陽電池モジュールを設置する前の状態を示す図、
【図８Ｂ】図２のＶＩＩＩ−ＶＩＩＩ線に沿った固定装置の断面図であり、太陽電池モジュールを固定装置に設置した状態を示す図である。
【図９Ａ】最も水下側に配置される支持部材（スタート部材）を示す断面図である。
【図９Ｂ】最も水上側に配置される支持部材（エンド部材）を示す断面図である。
【図１０】固定部材の別例を示す平面図である。
【図１１Ａ】図１０に示す固定部材を支持部材に取付ける取付部材の平面図である。
【図１１Ｂ】図１０に示す固定部材を支持部材に取付ける取付部材の側面図である。
【図１１Ｃ】図１０に示す固定部材を支持部材に取付ける取付部材の正面図である。
【図１２】図１０に示す固定部材を取付ける支持部材を示す正面図である。
【図１３Ａ】図１０に示す固定部材を支持部材に取付けた状態を示す図で、図１２のＡ−Ａ線に沿った断面図である。
【図１３Ｂ】図１２のＢ−Ｂ線に沿った断面図である。
【図１４】本実施形態による固定装置の別例を示す斜視図である。
【図１５】本発明の第二実施形態による、太陽電池モジュールの固定装置を示す平面図である。
【図１６Ａ】固定部材を示す平面図である。
【図１６Ｂ】固定部材を示す正面図である。
【図１６Ｃ】図１６ＢのＢ−Ｂ線に沿った断面図である。
【図１７】支持部材の正面図である。
【図１８】図１７のＸＶＩＩＩ−ＸＶＩＩＩ線に沿った支持部材の断面図であり、固定部材を取付け、架台に設置した状態を示す図である。
【図１９】図１５のＸＩＸ−ＸＩＸ線に沿った固定装置の断面図であり、太陽電池モジュールを設置する直前の状態を示す図である。
【図２０Ａ】最も水下側に設置される支持部材（スタート部材）に取付ける固定部材を示す正面図である。
【図２０Ｂ】図２０ＡのＢ−Ｂ線に沿った断面図である。
【図２１】スタート部材の断面図であり、太陽電池モジュールを設置した状態を示す図である。
【図２２】最も水上側に設置される支持部材（エンド部材）を示す断面図である。
【図２３Ａ】移動防止部材の平面図である。
【図２３Ｂ】移動防止部材の正面図である。
【図２３Ｃ】移動防止部材の側面図である。
【図２４】移動防止部材を太陽電池モジュールに取付けた状態を示す断面図である。
【発明を実施するための形態】
【００２３】
以下、添付図面を参照して本発明の実施形態について説明する。以下の実施形態において同一又は類似の構成要素には共通の参照符号を付して示し、理解を容易にするために、これら図面は縮尺を適宜変更している。また、本願発明の技術範囲はそれらの実施形態に限定されず、特許請求の範囲に記載した発明とその均等物におよぶ点に留意されたい。
【００２４】
（第一実施形態）
図１は、太陽電池モジュール２０ａ〜２０ｄ（以下まとめて太陽電池モジュール２０と称する場合がある）を屋根１０の設置面１２に固定する本発明の第一実施形態による固定装置１００を示す斜視図であり、図２は固定装置１００の一部を示す平面図である。図１及び図２に示すように、複数の太陽電池モジュール２０は、設置面１２の縦方向及び横方向に連続して配置され、固定装置１００により固定される。本明細書では、図１に示すように、屋根１０の設置面１２の傾斜方向、水上側から水下側への方向、棟側から軒側への方向、図１の矢印Ｙ方向を縦方向と称し、屋根１０の尾根が延びる方向、図１の矢印Ｘ方向を横方向と称し、設置面１２に対して垂直上向きな方向、図１の矢印Ｚ方向を上方向と称する。なお、図１は後述する設置面１２及び架台１０１、支持部材１２０を示すため一部の太陽電池モジュール２０を省略して示している。
【００２５】
本実施形態の固定装置１００は、架台１０１と、架台１０１に固定された複数の細長い支持部材１２０と、支持部材１２０に取付けられ太陽電池モジュール２０を固定する固定部材１４０とから構成されている。本実施形態の架台１０１は、設置面１２の縦方向に沿って、互いに平行になるよう配置された複数の細長い縦材１１０から構成される。また、支持部材１２０は、縦材１１０に架け渡して設置面１２の横方向に沿って配置され、横材と呼ばれる。なお、架台１０１は、屋根の設置面に直接取付けられた複数の縦材１１０から構成されているが、架台１０１の構成はこれに限定されず、例えば図１４に示すように、架台１０２（架台１０１に相当）は、さらに縦材１１０が傾斜するように、縦材１１０を支柱１０３により支持してもよい。また、太陽電池モジュールを設置する設置面は、傾斜した屋根の屋根面だけではなく、水平な陸屋根の屋根面や地面に設置してもよい。
【００２６】
本実施形態の固定装置１００により固定する太陽電池モジュール２０について説明する。図３Ａ〜図３Ｃは、太陽電池モジュール２０を示す図であり、図３Ａは平面図、図３Ｂは図３Ａの矢印Ｂ方向から見た側面図、図３Ｃは、図３ＡのＣ−Ｃ線に沿った断面図である。太陽電池モジュール２０は、図３Ａ、図３Ｃに示されるように、中空枠状のフレーム２４と、このフレーム２４の枠内に取付けられる太陽電池基板２３とから構成される。太陽電池基板２３は、受光により発電する太陽電池素子を備え、適宜この太陽電池素子を保護するカバーガラス等を積層した基板である。本実施形態で用いる太陽電池素子は、シリコン結晶系（単結晶シリコン、多結晶シリコン）、非結晶径（アモルファスシリコン）、化合物系（ＣＩＳ、ＣｄＴｅ、ＧａＡｓ等）、あるいは有機系の太陽電池素子等いずれのものであってもよく、その種類は特に限定されない。
【００２７】
フレーム２４は、太陽電池基板２３を保持すると共に、その積層端面を保護する枠であって、アルミニウム等の金属製の部材である。このフレーム２４は、四つの棒状のフレーム構成部材の端部同士を直角に接続させ、太陽電池基板２３の外周形状に応じた長方形状に形成されている。
【００２８】
フレーム２４は、図３Ｃに示されるように、太陽電池基板２３を上面側から挟持する上面側挟持部２８と、太陽電池基板２３を下面側から挟持する下面側挟持部３０と、上面側挟持部２８及び下面側挟持部３０の端部から下側へ延び、太陽電池モジュール２０の側面を形成する板状の側部３２ａ〜３２ｄ（以下、まとめて側部３２と称する場合がある）と、側部３２の下端部からフレーム２４の内側へ直角に折曲して延びて、太陽電池モジュール２０の下面を形成する板状の基底部３４とから形成されている。以下では、太陽電池モジュール２０を、屋根１０の設置面１２に固定したとき、屋根１０の棟側、水上側に位置される側部３２を第１の側部３２ａ、屋根の軒側、水下側に位置される側部を第２の側部３２ｂ、図３に向かって右側に位置する側部を右側部３２ｃ、左側に位置する側部を左側部３２ｄと称する。また、太陽電池基板２３が配置される面を太陽電池モジュール２０の上面２１と称し、フレーム２４の基底部３４の底面を太陽電池モジュール２０の下面２２と称する。
【００２９】
また、本実施形態の太陽電池モジュール２０の第１の側部３２ａには、後述する支持部材１２０に取付けられた固定部材１４０の第１の係止片１４２を挿入する挿入穴２６ａが形成され、第２の側部３２ｂには、固定部材１４０の第２の係止片１４３を挿入する挿入穴２６ｂが形成されている（以下、挿入穴２６ａ、２６ｂをまとめて挿入穴２６と称する場合がある）。
【００３０】
架台１０１の縦材１１０は、図１及び図２に示すように、屋根１０の設置面１２上に、屋根１０の傾斜方向（縦方向）に沿って複数本、平行に配置され、ボルト等により設置面１２に固定された細長の部材であり、後述する支持部材１２０を固定するように構成されている。縦材１１０の配置間隔Ｓは任意であるが、通常、縦材１１０は屋根１０の垂木に固定されるため、垂木の間隔に合わせて配置される。
【００３１】
縦材１１０は、例えば亜鉛めっき鋼板により形成されており、本実施形態の縦材１１０は図４Ａに示すように、その断面は上面が開口した細長中空の四角柱状に形成されている。縦材１１０は、屋根１０の設置面１２に固定されるよう、下面にボルト穴が形成されており、ボルトを挿入して締結することで設置面１２に固定される。縦材１１０の断面形状は、例えば、図４Ｂに示すように、支持部材１２０と接する縦材１１０ａの上面の面積を広げるために、外側に延びるフランジ部１１５を有してもよい。また、図４Ｃに示すように、縦材１１０ｂの断面形状は、下面が開口し、下端部において外側に延びるフランジ部１１６を有するハット型であってもよく、縦材１１０の断面形状は特に限定されない。図４Ｃに示す断面形状の場合、縦材１１０ｂの上面には支持部材１２０を固定するボルト穴が形成される。
【００３２】
次に、本実施形態の固定装置１００の支持部材１２０について説明する。図５Ａは、支持部材１２０の一部を示す側面図である。また図５Ｂは図５ＡのＢ−Ｂ線に沿った断面図であり、架台１０１の縦材１１０に固定され、後述する固定部材１４０を取付けた状態を示す図である。
【００３３】
支持部材１２０は、設置面１２の縦又は横方向に連続的に配置される太陽電池モジュールを支持する部材であり、縦方向に隣り合う太陽電池モジュール２０の下面２２、すなわち基底部３４の底面の縁部と、第１の側部３２ａ及び第２の側部３２ｂとに当接して支持するよう形成されている。本実施形態の支持部材１２０は、縦方向に隣り合う太陽電池モジュール２０ａ、２０ｂ（図２参照）のうち、水下側に位置する太陽電池モジュール２０ａの下面を支持する第１の下面支持部１２２と、水上側に位置する太陽電池モジュール２０ｂの下面を支持する第２の下面支持部１２３と、太陽電池モジュール２０ａの第１の側部と、太陽電池モジュール２０ｂの第２の側部との間に位置し、太陽電池モジュール２０ａの第１の側部と、太陽電池モジュール２０ｂの第２の側部とを支持する側部支持部１２１とを備える。また、支持部材１２０の側部支持部１２１の下端と、第２の下面支持部１２３との間に、後述する固定部材１４０の脚部１４４ａ、１４４ｂの下端が挿入される溝部１２８が形成されている。なお、溝部１２８は、固定部材１４０が挿入された時、固定部材１４０が斜めに倒れるように、図５Ｂに示すように床面が傾斜している。また、支持部材１２０は、第１の下面支持部１２２を支持する立設部１２４と、第２の下面支持部１２３を支持する立設部１２５を有し、立設部１２４及び立設部１２５のそれぞれの下端には、底面部１２６、１２７が設けられている。
【００３４】
支持部材１２０の側部支持部１２１には、太陽電池モジュール２０の第１の側部３２ａ及び第２の側部３２ｂに形成された挿入穴２６の位置に合わせて、固定部材１４０の第１の係止片１４２を挿入可能な貫通穴１２９が複数形成されている。
【００３５】
固定部材１４０について説明する。図６は固定部材１４０の斜視図、図７Ａ〜図７Ｃは固定部材１４０の三面図であり、図７Ａは平面図、図７Ｂは正面図、図７Ｃは側面図である。固定部材１４０は、太陽電池モジュール２０の、少なくとも上方向への移動を防止する部材であり、支持部材１２０の溝部１２８に挿入されることで、支持部材の長手方向に平行な、太陽電池モジュール２０の第１の側部３２ａ及び第２の側部３２ｂに平行な軸線である回転中心軸１４６を中心に回転可能に取付けられる（図５Ｂ参照）。
【００３６】
固定部材１４０は、固定部本体１４１と、固定部本体１４１の一方の側部から外側に延びる第１の係止片１４２と、他方の側部から第１の係止片１４２とは反対方向に延びる第２の係止片１４３とを備える。また、固定部本体１４１の両端部からは下方に延びる脚部１４４ａ、１４４ｂが設けられ、脚部１４４ａ、１４４ｂのそれぞれの下端に折曲部１４５ａ、１４５ｂが形成されている。本実施形態の固定部材１４０は、金属製でスチールを加工することにより形成されているが、他の材料、例えばセラミックやプラスチックにより作製されてもよく、その材料は特に限定されない。
【００３７】
第１の係止片１４２は、支持部材１２０の貫通穴１２９を通り、支持部材１２０を挟んで水下側に配置される太陽電池モジュール２０ａの第１の側部３２ａに形成された挿入穴２６ａに挿入され、太陽電池モジュール２０ａの第１の側部３２ａの移動を防止する。第２の係止片１４３は、支持部材１２０を挟んで水上側に位置する太陽電池モジュール２０ｂの第２の側部３２ｂの挿入穴２６ｂに挿入され、太陽電池モジュール２０ｂの第２の側部３２ｂの移動を防止する（図２、図８Ａ、図８Ｂ参照）。
【００３８】
第１の係止片１４２の幅Ｄ３は、貫通穴１２９、挿入穴２６ａに挿入できるよう、貫通穴１２９の幅Ｄ２、挿入穴２６ａの幅Ｄ１に合わせて形成されている。また、第１の係止片１４２の端部は、貫通穴１２９及び挿入穴２６ａに挿入しやすいよう、図７Ａに示すように切り欠かかれている。また、第１の係止片１４２は、支持部材１２０の貫通穴１２９を通して太陽電池モジュール２０の挿入穴２６ａに挿入されるので、第１の係止片１４２の長さＬ１は、貫通穴１２９の深さ分、第２の係止片１４３の長さＬ２より長く形成される。なお、固定部本体１４１の長さＤ４は、第１の係止片１４２の幅Ｄ３より長く形成されており、第１の係止片１４２を貫通穴１２９に挿入したとき、固定部本体１４１が貫通穴１２９の周囲に当接して固定部材１４０の回転を止めるようになっている。
【００３９】
固定部材１４０の取付けは、図５Ｂに示すように、また、第１の係止片１４２の先端が、支持部材１２０の貫通穴１２９に挿入できる位置において、脚部１４４ａ、１４４ｂの下端を溝部１２８に挿入することで行われる。このとき、溝部１２８の床面は傾斜していることから、固定部材１４０は、第１の係止片１４２の先端を貫通穴１２９に引掛けた状態で、斜めに倒れた状態となる。この状態において、第１の係止片１４２は、支持部材の貫通穴１２９から完全に突出していない。そのため、作業員は太陽電池モジュール２０ｂを設置する際、太陽電池モジュール２０ｂの第１の側部３２ａが第１の係止片１４２に引掛かることがなく、太陽電池モジュール２０ｂを支持部材１２０ｂに載置することができる（図８Ａ、図８Ｂ参照）。そして、固定部材１４０は、その脚部１４４ａ、１４４ｂの下端を溝部１２８に挿入して取付けることで、脚部１４４ａ、１４４ｂの下端部を中心に、すなわち支持部材１２０の長手方向に平行な、又は第１の側部及び第２の側部に平行な軸線（回転中心軸１４６）を中心に回転可能になる。そのため、作業員は、太陽電池モジュール２０ｂを支持部材１２０に載置した後、固定部材１４０を回転させ、第１の係止片１４２を太陽電池モジュール２０ｂの挿入穴２６ａに挿入して、太陽電池モジュール２０ｂを支持部材１２０に固定することができる。
【００４０】
図５Ｂを参照して、支持部材１２０を縦材１１０に固定する方法について説明する。本実施形態では、縦材１１０に、支持部材１２０の底面部１２６の端部を引掛ける引掛部１１２が形成されている。支持部材１２０の底面部１２６を引掛部１１２に引掛けた後、挟持部材１１４ａ、１１４ｂにより、支持部材１２０の底面部１２７と縦材１１０の上面とを挟持し、縦材１１０のスリット１１１を通るボルト１１３を締結することにより固定する。支持部材１２０の底面部１２６、１２７にボルト穴を形成して、支持部材１２０を縦材１１０に固定してもよく、支持部材１２０の固定方法は特に限定されない。
【００４１】
図８Ａ、図８Ｂを参照して、本実施形態による固定装置１００に、太陽電池モジュール２０を設置する方法について説明する。
【００４２】
図８Ａ、図８Ｂは、図２のＶＩＩＩ−ＶＩＩＩ線に沿った断面図であり、図８Ａは太陽電池モジュール２０ｂを固定装置１００に取付ける直前の状況を示し、図８Ｂは太陽電池モジュールを固定装置１００に載置した状態を示す。縦材１１０は設置面１２に固定されており、支持部材１２０ａ、１２０ｂは、太陽電池モジュール２０の縦方向の長さＳ１と略同じ間隔Ｓ２を開けて、互いに平行に配置されている。
【００４３】
図８Ａにおいて、太陽電池モジュール２０ｂの水下側に位置する太陽電池モジュール２０ａは既に設置されており、支持部材１２０ａに取付けられた固定部材１４０ａは、図５Ｂに示す載置された状態から回転して太陽電池モジュール２０ａを固定している。このとき固定部材１４０ａの第２の係止片１４３は、支持部材１２０ａの側部支持部１２１から突出していることから、作業者は太陽電池モジュール２０ｂを図の矢印Ｆ方向に動かして太陽電池モジュール２０ｂの第２の側部３２ｂに形成された挿入穴２６ｂを、第２の係止片１４３に差し込むことにより、第２の側部３２ｂを取付ける。
【００４４】
そして、太陽電池モジュールの第２の側部３２ｂを支持部材１２０ａに取付けた後、作業者は太陽電池モジュール２０の第１の側部３２ａを図の矢印Ｇ方向に下げ、第１の側部３２ａを、図８Ｂに示すように、支持部材１２０ｂに載置する。この時、支持部材１２０ｂに取付けられた固定部材１４０ｂは斜めに倒れた状態であり、第１の係止片１４２が側部支持部１２１から大きく突出しておらず、第１の側部３２ａが引掛からないので、作業者は太陽電池モジュール２０ｂの第１の側部３２ａを下げるだけで、太陽電池モジュール２０を支持部材１２０ｂに載置させることができる。載置した後、作業者は固定部材１４０ｂを図の矢印Ｈ方向に回転させ、第１の係止片１４２を貫通穴１２９及び挿入穴２６ａに挿入し、太陽電池モジュール２０ｂを固定する。太陽電池モジュール２０ｂの取り外しは、固定部材１４０ｂを矢印Ｈ方向とは反対の方向に回転させて、第１の係止片１４２を貫通穴１２９及び挿入穴２６ａから引き抜くことで太陽電池モジュール２０の移動の防止を解除し、太陽電池モジュール２０ｂの第１の側部３２ａを持ち上げる。そして、第２の側部３２ｂに挿入された第２の係止片１４３を引き抜くように太陽電池モジュール２０ｂを取り外す。
【００４５】
図９Ａは、最も水下側（軒先側）に位置する支持部材（スタート部材１５０）を示す断面図であり、太陽電池モジュール２０の第２の側部を固定した状態を示す図である。スタート部材１５０は、最も水下側に位置することから、固定部材１４０の第１の係止片１４２が不要である。そのため、スタート部材１５０には、第２の係止片１４３の役割を果たす、係止片１５８を有する固定部材１５１が取付けられている。また、スタート部材１５０は、屋根の下にいる人からも見えるため、図に示すように化粧板１５７が設けられている。図９Ｂは、最も水上側（棟側）に位置する支持部材１２０（エンド部材）である。最も水上側に位置することから、固定部材１４０が回転して第１の係止片１４２が、太陽電池モジュール２０から外れることを防止する必要がある。そのため、図に示す支持部材１２０には、固定部材１４０の回転を防止する回転防止部材１５６がねじ止めにより取付けられている。なお、スタート部材１５０は、固定装置１００の意匠性を向上させるために設けており、スタート部材１５０の代わりに支持部材１２０を設置してもよい。
【００４６】
図１０は、固定部材の別例（固定部材１６０）を示す平面図である。固定部材１６０は、図７Ａ〜図７Ｃに示す固定部材１４０と同様に、固定部本体１６１と、固定部本体１６１の一方の側部から延びる第１の係止片１６２と、一方の側部に対して反対側に位置する他方の側部から延びる第２の係止片１６３とを備えている。さらに、固定部材１６０は固定部本体１６１の一方の端部に設けられた引掛部１６４を有し、支持部材１２０に対して、太陽電池モジュールの上面に対して垂直な軸線（回転中心軸１６６）を中心に回転可能に取付けられる（図１３Ｂ参照）。また、固定部材１６０には長穴１６５が形成され、長穴１６５に後述する取付部材１７０の突出部１７２が挿入されることで、固定部材１６０の回転範囲が制限されるようになっている。固定部材１６０は、図１１Ａ〜図１１Ｃに示す取付部材１７０により支持されて、図１２に示す支持部材１２０ａに回転可能に取付けられる。取付部材１７０は、固定部材１６０の底面に当接して固定部材１６０を支持する支持部１７１と、取付部材１７０を支持部材１２０ａに固定するためのねじ穴１７３と、固定部材１６０の長穴１６５に挿入され回転範囲を制限する突出部１７２が設けられている。また、図１２に示すように、支持部材１２０ａには、第１の係止片１６２を通す貫通穴１２９ａと、引掛部１６４を引掛ける穴１８０と、取付部材１７０を支持部材１２０に固定するねじ穴１８２が形成されている。図１３Ａ及び図１３Ｂは固定部材１６０を支持部材１２０ａに取付けた状態を示し、固定部材１６０は、図１３Ｂに示すように、回転中心軸１６６を中心に回転し、貫通穴１２９ａを通して太陽電池モジュール２０の挿入穴２６ａに第１の係止片１６２を挿入して、太陽電池モジュール２０を固定することができる。
【００４７】
なお、本実施形態において、固定部材１４０、１６０は、支持部材１２０、１２０ａに対して回転可能に取付られ、作業員が回転させることにより太陽電池モジュール２０を固定している。固定部材の移動方法は、これに限定されず、例えば固定部材は、支持部材の軸線に対して垂直方向に移動できるように、支持部材に取付けられてもよい。また、太陽電池モジュールを固定する際、作業員が固定部材を支持部材の貫通穴に直接挿入してもよい。
【００４８】
また、本実施形態では、屋根１０の設置面１２に、複数の縦材１１０からなる架台１０１を取り付けて支持部材１２０を固定していた。縦材１１０を設置することで設置面１２の不陸を調整して支持部材１２０を容易に取付けることができる。設置面１２の不陸を調整する必要が無い場合は、縦材１１０を設置せず、支持部材１２０を設置面１２に直接取り付けてもよい。また、図１に示す屋根１０は傾斜しているが、設置面１２は傾斜していない陸屋根面であってもよく、また地面であってもよい。本実施形態の支持部材１２０は、屋根１０の尾根に対して平行に設置されているが、これに限定されず、例えば屋根１０の尾根に対して垂直に設置されてもよい。また、本実施形態では、長方形の太陽電池モジュール２０を、その長辺が支持部材１２０に支持されるように配置しているが、太陽電池モジュール２０の短辺が支持部材１２０に支持されるように配置してもよい。また、太陽電池モジュール２０の長辺より長い長尺の縦材１１０や支持部材１２０を用いて、太陽電池モジュール２０を固定しているが、太陽電池モジュール２０の辺の長さより短い縦材１１０や支持部材１２０を複数個用いて、太陽電池モジュール２０を設置面１２に固定してもよい。
【００４９】
図１４は、太陽電池モジュール２０を屋根以外に設置した例を示す斜視図である。図に示すように、太陽電池モジュール２０は、支持部材１２０とそれを傾斜させて固定する架台１０２とにより固定されている。また、架台１０２は、複数の縦材１１０とそれを支持する鉄製の支柱１０３とから構成されている。支柱１０３は地面に配置されたコンクリートブロック１０４により支持されている。支柱１０３は強度の面から鉄製や鋼製であるのが望ましいが木製であってもよい。このように、屋根ではなく地面の上に鉄骨造による構造物（架台１０２）を形成して設置面を形成してもよい。図１４に示す架台１０２は、支持部材１２０を、縦材１１０を用いて固定しているが、縦材１１０を用いることなく、支柱１０３が支持部材１２０を直接支持してもよい。支柱１０３はコンクリートブロック１０４により支持されているが、支柱１０３の端部を直接地面に打ち込んで支柱１０３を支持してもよい。太陽電池モジュール２０を設置する設置面は傾斜している必要はなく水平面であってもよい。
【００５０】
従来は太陽電池モジュール２０を設置する際、ボルト等を締結する作業を必要とする場合があった。ボルトの締結には工具を必要とすることから、太陽電池モジュールを設置するときに誤ってボルトや工具が落下し、太陽電池モジュールを破損する危険性がある。本実施形態の固定装置１００を用いると、太陽電池モジュールを固定装置１００に取付ける際、ボルトの締結作業をすることなく、太陽電池モジュール２０を固定することができる。固定装置を屋根に設置した後、最も軒側に位置する支持部材（エンド部材）の固定以外は、ほぼボルトレスで作業をすることができることから、ボルトや工具の落下により太陽電池モジュールが破損される危険性が減少する。また、従来は太陽電池モジュールを横材とは別に太陽電池モジュールを挟持して固定する金具を別途用いていたが、本発明では支持部材と固定部材とを組み合わせて太陽電池モジュールを固定することから、部品点数を削減することができ、延いては低コストで太陽電池モジュールを設置面に固定することができる。
【００５１】
（第二実施形態）
図１５は、本発明の第二実施形態による太陽電池モジュール固定用の固定装置２００を示す平面図である。本実施形態の固定装置２００も、図１に示す設置面１２に固定される固定装置であり、設置面１２に固定される架台２０１と、設置面１２の横方向に沿って配置される支持部材２２０と、支持部材２２０に取付けられ太陽電池モジュール２０を固定する固定部材２４０とから構成される。架台２０１は、設置面１２の縦方向に沿って、互いに平行になるように配置された細長い縦材２１０から構成される。
【００５２】
太陽電池モジュール２０並びに本実施形態の架台２０１及びその縦材２１０は、図２に示す太陽電池モジュール２０と、第一実施形態の縦材１１０の構成と同様であるため、詳細な説明は省略し、第一実施形態の固定装置１００と異なる支持部材２２０と固定部材２４０について主に説明する。
【００５３】
図１６Ａ〜図１６Ｂは、固定部材２４０を示す図であり、図１６Ａは平面図、図１６Ｂは正面図、図１６Ｂは図１６ＢのＢ−Ｂ線に沿った断面図である。固定部材２４０は、支持部材２２０を挟んで配置される水下側の太陽電池モジュール２０の上面に当接する第１の係止片２４２と、水上側の太陽電池モジュール２０の上面に当接する第２の係止片２４３とを有する固定部本体２４１を備え、固定部材２４０は、さらに固定部本体２４１の底面から下方に延びる脚部２４４を有する。そして脚部２４４の下端には、支持部材２２０に引掛かる引掛部２４５が形成されている。本実施形態の固定部材２４０は、太陽電池モジュール２０の上面に第１の係止片２４２及び第２の係止片２４３が当接して、太陽電池モジュールの移動を防止する。そのため、第一実施形態で形成していた挿入穴や貫通穴を形成する必要がない。
【００５４】
図１７は支持部材２２０の正面図であり、図１８は、図１７のＸＶＩＩＩ−ＸＶＩＩＩ線に沿った支持部材２２０の断面図であり、縦材２１０に固定され、固定部材２４０が取付けられた状態の支持部材２２０を示す図である。支持部材２２０は、第一実施形態の支持部材１２０と同様に、縦方向に隣り合う太陽電池モジュール２０のうち、水下側に位置する太陽電池モジュール２０の下面を支持する第１の下面支持部２２２と、水上側に位置する太陽電池モジュール２０の下面を支持する第２の下面支持部２２３と、を備える。また、支持部材２２０は、縦方向に隣り合う太陽電池モジュール２０との間に配置されたとき水上側の太陽電池モジュールの第２の側部を支持する側部支持部２２１を備える。支持部材２２０は、第１の下面支持部２２２を支持する立設部２２４と、第２の下面支持部２２３を支持する立設部２２５を有し、立設部２２４及び立設部２２５の各下端部には、底面部２２６、２２７が設けられている。そして、底面部２２６を、縦材２１０の引掛部２１２に引掛け、底面部２２７と縦材２１０の上面とを挟持部材２１４ａ、２１４ｂにより挟持しボルト２１３を締結することにより、支持部材２２０は、縦材２１０に固定される。
【００５５】
支持部材２２０は、図１８に示すように、太陽電池モジュール２０の第２の側部３２ｂが当接する側部支持部２２１に、固定部材２４０の脚部２４４の下端（引掛部２４５）を挿入する溝部２２８が形成されている。溝部２２８は支持部材２２０の長手方向に沿って形成されている。引掛部２４５を溝部２２８に挿入し、引掛部２４５を溝部２２８の内側に係止させることにより、固定部材２４０は、引掛部２４５（回転中心軸２４６）を中心に、支持部材２２０に対して回転可能に取付けられる。支持部材２２０の回転は、支持部材２２０の長手方向に平行であり、太陽電池モジュール２０の第１の側部３２ａ及び第２の側部３２ｂに対して平行な回転中心軸２４６を中心に回転する。また、図１７に示すように、支持部材２２０の側部支持部２２１には、固定部材２４０を取付ける位置に、固定部材２４０を嵌め込む切欠部２２９が形成されている。切欠部２２９の幅Ｇ２は、固定部材２４０の幅Ｇ１と同じ大きさで形成されていて、固定部材２４０の脚部２４４を切欠部２２９に嵌め込むことにより、固定部材２４０が横方向（支持部材２２０の長手方向）へ移動することを防止する。さらに、図１８に示すように、固定部材２４０が切欠部２２９から離脱することを防止する離脱防止部材２３０が、側部支持部２２１に取り付けてられてもよい。離脱防止部材２３０は、例えば固定部材２４０の脚部２４４を切欠部２２９に嵌め込んだ後、側部支持部２２１に取付けられ、離脱防止部材２３０が脚部２４４の下端を支持する。それにより、固定部材２４０が引掛部２４５を中心に回転し難くなり、離脱防止部材２３０は、固定部材２４０が切欠部２２９から離脱することを防止する。
【００５６】
図１９に示すように、水上側に位置する太陽電池モジュール２０ｂを固定装置２００に取付ける場合、太陽電池モジュール２０ｂの第２の側部３２ｂを、支持部材２２０の第２の下面支持部２２３と、固定部材２４０の第２の係止片２４３との間に挿入する。そして、支持部材２２０の固定部材２４０を倒した状態で、太陽電池モジュール２０ｂの第１の側部３２ａを、支持部材２２０の第１の下面支持部２２２に載置する。載置した後、作業員は固定部材２４０を矢印Ｊ方向に回転させ、太陽電池モジュール２０ｂの上面２１に当接させ、太陽電池モジュール２０ｂの上方向の移動を防止する。
【００５７】
太陽電池モジュール２０ｂを設置すると、水下側の太陽電池モジュール２０ａを固定する固定部材２４０は、太陽電池モジュール２０ｂが挿入されたことにより、固定部材２４０の回転が太陽電池モジュール２０ｂの第２の側部３２ｂにより止められ、太陽電池モジュール２０ａの固定が解除されることが防止される。
【００５８】
本実施形態の固定装置２００において、最も水下側（軒先側）に位置される支持部材（スタート部材２５０）とそれに取付けられる固定部材２５５について説明する。図２０Ａ及び図２０Ｂは、スタート部材２５０に取付けられる固定部材２５５を示す図であり、図２０Ａは正面図、図２０Ｂは図２０ＡのＢ−Ｂ線に沿った断面図である。図２１は、スタート部材２５０を示す断面図で、縦材２１０に固定され、太陽電池モジュール２０を固定した状態を示す図である。スタート部材２５０は、固定装置２００において最も水下側に位置することから、図２１に示すように、水上側に位置する太陽電池モジュール２０のみを固定する。そのため、図２０Ａ及び図２０Ｂに示す固定部材２５５は、水上側に位置する太陽電池モジュール２０の上面に当接する第２の係止片２５６と、第２の係止片２５６から下方に延び、スタート部材２５０に固定される脚部２５７を備える。そして、固定部材２５５は、図２１に示すように、ねじ止めによりスタート部材２５０に固定される。また、スタート部材２５０は化粧板２５１を有する。
【００５９】
固定装置２００において、最も水上側（棟側）に位置される支持部材２２０（エンド部材）について説明する。図２２は、エンド部材２２０を示す断面図である。エンド部材２２０では水下側に位置する太陽電池モジュール２０のみを固定する。図１９に示す支持部材２２０のように、水上側の太陽電池モジュール２０ｂの第２の側部３２ｂにより固定部材２４０の回転が止められないため、エンド部材２２０には、図２２に示すように、太陽電池モジュール２０を固定した後、エンド部材２２０には固定部材２４０の回転を防止する回転防止部材２５９が取付けられる。
【００６０】
また、本実施形態の固定装置２００において、固定部材２４０は、太陽電池モジュール２０の上面に当接することによりその上方向の移動を防止しているが、一方、太陽電池モジュールの横方向（支持部材の長手方向、太陽電池モジュール２０の第１の側部及び第２の側部の長手方向）に対する移動は防止されていない。そのため、例えば、図２３Ａ〜図２３Ｃに示す移動防止部材２６０を、横方向に隣接して配置される太陽電池モジュール２０の間に取付け、移動防止部材２６０を支持部材２２０に固定することで、太陽電池モジュール２０の横方向の移動を防止してもよい。
【００６１】
図２３Ａ〜図２３Ｃは移動防止部材２６０を示す図であり、図２３Ａは平面図、図２３Ｂは正面図、図２３Ｃは側面図である。また、図２４は、移動防止部材２６０を横方向に隣り合う太陽電池モジュール２０の間に取付けた状態を示す断面図である。移動防止部材２６０は、金属板を加工して作製される。移動防止部材２６０は、基板２６１と、基板２６１の中央に立設し、横方向に隣り合う太陽電池モジュール２０の間に挟まれる立設部２６２と、基板２６１の両側部に設けられた折曲部２６３ａ、２６３ｂとを備える。折曲部２６３ａ、２６３ｂは、立設部２６２からの距離Ｋが、太陽電池モジュール２０のフレーム２４の基底部３４の幅に合うよう作製されている（図２４参照）。移動防止部材２６０は、図１５に示すように、太陽電池モジュール２０の左側部又は右側部の何れか一方に取付けてあれば、横方向への移動を防止することができ、太陽電池モジュール２０の両側部に取付ける必要はない。また、移動防止部材２６０は、太陽電池モジュールの横方向への移動を防止する一例であり、例えば太陽電池モジュールに挿入穴を形成し、支持部材からピンを差し込むことにより、太陽電池モジュールの横方向への移動を防止してもよく、横方向への移動を防止する方法は特に限定されない。
【００６２】
以上、図を用いて本実施形態による太陽電池モジュールの固定装置について説明した。本実施形態の固定装置２００を用いると、固定装置２００を屋根に設置した後、エンド部材への固定以外は、ボルトレスで作業をすることができる。また、従来は太陽電池モジュールを横材に、太陽電池モジュールを挟持して固定する金具を別途用いていたが、本実施形態の固定装置では支持部材と固定部材とを組み合わせて太陽電池モジュールを固定することから、部品点数を削減することができ、延いては低コストで太陽電池モジュールを屋根に設置することができる。なお、第一実施形態と同様、本実施形態では、固定装置２００により屋根１０に設置された太陽電池モジュールを示していたが、架台２０１の縦材２１０を例えば図１４に示す支柱１０３により支持することにより、太陽電池モジュール２０を傾斜させて陸屋根の設置面や地面等に固定してもよい。すなわち、固定装置２００の架台２０１の構成はこれに限定されず、縦材２１０を省略して支持部材２２０を直接、設置面１２に取付けてもよく、支持部材２２０に支柱１０３を取付けて、太陽電池モジュール２０を傾斜させてもよい。また、隣り合う太陽電池モジュール間に支持部材から突出したピンを設けることで横方向の移動を防止してもよい。
【符号の説明】
【００６３】
１０    屋根
１２    設置面
２０、２０ａ、２０ｂ    太陽電池モジュール
２１    上面
２２    下面
２３    太陽電池基板
２４    フレーム
２６、２６ａ、２６ｂ    挿入穴
２８    上面側挟持部
３０    下面側挟持部
３２    側部
３２ａ    第１の側部
３２ｂ    第２の側部
３２ｃ    左側部
３２ｄ    右側部
３４    基底部
１００、２００    固定装置
１０１、２０１    架台
１０３    支柱
１０４    コンクリートブロック
１１０、２１０    縦材
１１１    スリット
１１２    引掛部
１１４ａ、１１４ｂ    挟持部材
１２０、２２０    横材
１２１、２２１    側部支持部
１２２、２２２    第１の下面支持部
１２３、２２３    第２の下面支持部
１２４、１２５、２２４、２２５    立設部
１２６、１２７、２２６、２２７    底面部
１２８、２２８    溝部
１２９    貫通穴
１４０、１６０、２４０    固定部材
１４１、１６１、２４１    固定部本体
１４２、１６２、２４２    第１の係止片
１４３、１６３、２４３    第２の係止片
１４４ａ、１４４ｂ、２４４    脚部
１４５ａ、１４５ｂ    折曲部
１４６、１６６、２４６    回転中心軸
１５０、２５０    スタート部材
１５１、２５５    固定部材
１５６    回転防止部材
１５７、２５１    化粧板
１５８    係止片
１７０    取付部材
２２９    切欠部
２３０    離脱防止部材
２４５    引掛部
２５９    回転防止部材
２６０    移動防止部材
【図１】
2014109194.tif 000003
【図２】
2014109194.tif 000004
【図３Ａ】
2014109194.tif 000005
【図３Ｂ】
2014109194.tif 000006
【図３Ｃ】
2014109194.tif 000007
【図４Ａ】
2014109194.tif 000008
【図４Ｂ】
2014109194.tif 000009
【図４Ｃ】
2014109194.tif 000010
【図５Ａ】
2014109194.tif 000011
【図５Ｂ】
2014109194.tif 000012
【図６】
2014109194.tif 000013
【図７Ａ】
2014109194.tif 000014
【図７Ｂ】
2014109194.tif 000015
【図７Ｃ】
2014109194.tif 000016
【図８Ａ】
2014109194.tif 000017
【図８Ｂ】
2014109194.tif 000018
【図９Ａ】
2014109194.tif 000019
【図９Ｂ】
2014109194.tif 000020
【図１０】
2014109194.tif 000021
【図１１Ａ】
2014109194.tif 000022
【図１１Ｂ】
2014109194.tif 000023
【図１１Ｃ】
2014109194.tif 000024
【図１２】
2014109194.tif 000025
【図１３Ａ】
2014109194.tif 000026
【図１３Ｂ】
2014109194.tif 000027
【図１４】
2014109194.tif 000028
【図１５】
2014109194.tif 000029
【図１６Ａ】
2014109194.tif 000030
【図１６Ｂ】
2014109194.tif 000031
【図１６Ｃ】
2014109194.tif 000032
【図１７】
2014109194.tif 000033
【図１８】
2014109194.tif 000034
【図１９】
2014109194.tif 000035
【図２０Ａ】
2014109194.tif 000036
【図２０Ｂ】
2014109194.tif 000037
【図２１】
2014109194.tif 000038
【図２２】
2014109194.tif 000039
【図２３Ａ】
2014109194.tif 000040
【図２３Ｂ】
2014109194.tif 000041
【図２３Ｃ】
2014109194.tif 000042
【図２４】
2014109194.tif 000043
【国際調査報告】
2014109194.tif 000044
2014109194.tif 000045
2014109194.tif 000046
2014109194.tif 000047